(57)【要約】【課題】アッパーケースをボトムケースに取り付ける際に、アッパーケースとボトムケースを接続する落下防止ワイヤを、アッパーケースとボトムケースの合わせ面に挟むことを防止する。【解決手段】外装を構成するボトムケースおよびアッパーケースと、前記ボトムケースと前記アッパーケースを、余長を有して接続するワイヤを備えた撮像装置において、前記ボトムケースの底面から前記アッパーケース側に向けて略垂直方向に構成された第一壁部と第二壁部を有し、前記ワイヤの余長が前記第一壁部と前記第二壁部の間に収納されることで、前記アッパーケースと前記ボトムケースの間に前記落下防止ワイヤを挟むことを防止する。【選択図】図２
2017161676.tif 000002
【特許請求の範囲】
【請求項１】
外装を構成するボトムケースおよびアッパーケースと、前記ボトムケースと前記アッパーケースを、余長を有して接続するワイヤを備えた撮像装置において、前記ボトムケースの底面から前記アッパーケース側に向けて垂直方向に構成された第一壁部と第二壁部を有し、前記ワイヤの余長が前記第一壁部と前記第二壁部の間に収納されることを特徴とする撮像装置。
【請求項２】
前記第二壁部は、前記第一壁部より前記ボトムケースの外形に近い位置に配置され、前記アッパーケースと前記ボトムケースの合わせ面より突出していることを特徴とする請求項１に記載の撮像装置。
【請求項３】
前記第一壁部のアッパーケース側の壁端部と、前記第二壁部のアッパーケース側の壁端部は、前記ワイヤの一端がボトムケースに固定された位置よりもアッパーケース側にあることを特徴とする請求項１に記載の撮像装置。
【発明の詳細な説明】
【技術分野】
【０００１】
本発明は、建造物の天井や壁面に設置される撮像装置に於ける、ケースの落下防止ワイヤの構成に関する。
【背景技術】
【０００２】
近年、監視・撮影を目的とした撮像装置は、保安性の確保や保安維持の観点で注目を集めている。特に監視カメラは、一般者の手に触れない天井や壁面上方に設置されることが多く、監視カメラ設置の際、設置作業者は高所作業をすることになる。
【０００３】
設置作業は、まず天井若しくは壁面上方のような固定面に取り付け金具を設置し、さらにその取り付け金具に対して撮像装置を固定する、という手順で行われる。高所での作業となるため、作業中に誤って撮像装置を落下させることのないように、多くの撮像装置が落下防止ワイヤを採用している。以上の背景を鑑みた先行技術として、特許文献１を紹介する。
【０００４】
特許文献１は、落下防止部材の一方を撮像装置の取り付け金具または撮像装置本体に対してフックで接続し、他方を天井裏等の既存設備に接続する、といったものである。つまり、アンカーボルトの設置無しに撮像装置の落下防止を実現する、といった意図のものである。
【先行技術文献】
【特許文献】
【０００５】
【特許文献１】特開２０００−３０７９２２号公報
【発明の概要】
【発明が解決しようとする課題】
【０００６】
一方、多くの撮像装置では、撮像装置を取り付け金具に対して固定する際に撮像装置のアッパーケースを取り外す必要がある。そのため、ボトムケースとアッパーケースを接続する落下防止ワイヤが必要となる。外観上の観点から、アッパーケースに接続される落下防止ワイヤは撮像装置内部に収納されることが望ましい。
【０００７】
しかし、その場合、落下防止ワイヤの余長がアッパーケースとボトムケースの合わせ面に挟まれ、アッパーケースを適切に取り付け出来ない恐れがある、という課題がある。また、落下防止ワイヤを挟まないためには、ケース内側へ落下防止ワイヤを押しこみながらアッパーケースの取り付けを行う必要があり、作業性が低い場合がある、という課題がある。
【課題を解決するための手段】
【０００８】
上記の課題を解決するために、本発明に係る撮像装置は、
外装を構成するボトムケースおよびアッパーケースと、前記ボトムケースと前記アッパーケースを、余長を有して接続する落下防止ワイヤと、前記ボトムケースの底面から前記アッパーケース側に向けて略垂直方向に構成された第一壁部と第二壁部を有し、前記落下防止ワイヤの余長が前記第一壁部と前記第二壁部の間に収納されることを特徴とする。
【発明の効果】
【０００９】
本発明に係る撮像装置によれば、アッパーケースをボトムケースに取り付ける際に、落下防止ワイヤの余長が第一壁部と第二壁部の間に収納されることで、アッパーケースとボトムケースの合わせ面に落下防止ワイヤが挟まれることを防止できる。
【図面の簡単な説明】
【００１０】
【図１】実施例１に記載の撮像装置の説明図である。
【図２】実施例１に記載のボトムユニットの説明図である。
【図３】実施例１に記載の設置板金取り付け作業の説明図である。
【図４】実施例１に記載のボトムユニット取り付け作業の説明図である。
【図５】実施例１に記載のアッパーケース取り付け作業の説明図である。
【図６】実施例１に記載の落下防止ワイヤ収納の説明図である。
【発明を実施するための形態】
【００１１】
以下、本発明を実施するための形態を図面に基づいて説明する。
【００１２】
［実施例１］
請求項１に記載の、撮像装置におけるアッパーケースの落下防止ワイヤの収納構造について説明する。尚、説明のし易さの観点から、以下の２項目に分けて説明する。
（１）撮像装置の構成に関する説明
（２）撮像装置の設置作業に関する説明
（１）撮像装置の構成に関する説明
図１は本発明を適用した撮像装置の説明図である。
【００１３】
撮像装置１は、ボトムユニット２と、アッパーケース３で構成されている。ボトムユニット２とアッパーケース３は、落下防止ワイヤ４で接続されている。また、撮像装置１とは別に、天井若しくは壁面に固定される設置板金５が用意されている。設置板金５には、撮像装置１に接続される落下防止ワイヤ６が接続されている。
【００１４】
図２はボトムユニットの説明図である。図２（a）はボトムユニット２の下面図である。
【００１５】
ボトムユニット２は、ボトムケース７と、ベースカバー８と、レンズユニット９で構成されている。ボトムケース７は、合わせ面１０において、アッパーケース３と当接する。ベースカバー８には、ボトムケース７の底面からアッパーケース３の方向へ垂直方向に構成された第一壁部１１と第二壁部１２が設けられている。第二壁部１２は第一壁部１１よりもボトムケース外形に近い位置に配置されている。落下防止ワイヤ４は、締結部１３においてボトムケース７に固定されている。直線Ａ−Ａについては、後述する。
【００１６】
図２（b）は図２（a）における直線Ｂ−Ｂでのボトムユニット２の断面図である。
【００１７】
第二壁部１２は、合わせ面１０よりも突出している。落下防止ワイヤ４の締結部１３は、第一壁部１１のアッパーケース側の壁端部１４、および第二壁部１２のアッパーケース側の壁端部１５よりもボトムケース７の底部に近い位置に配置されている。
【００１８】
尚、本実施例において、第一壁部１１および第二壁部１２はベースカバー８と一体であるが、第一壁部１１および第二壁部１２はボトムケース７と一体に構成されてもよく、また、独立した部品として構成されてもよい。
【００１９】
（２）撮像装置の設置作業に関する説明
図３は設置板金取り付け作業の説明図である。
【００２０】
天井等の固定面に予め配置された不図示の金具に対して穴１６が一致するように設置板金５の位置を合わせて、ねじ１７で固定する。
【００２１】
図４はボトムユニット取り付け作業の説明図である。
【００２２】
まず、ボトムユニット２の背面に設けられた不図示の締結部に対して落下防止ワイヤ６を接続する。次に、ねじ１８をボトムケース７に設けられた穴１９に挿入し、設置板金５に設けられたねじ穴２０に対して締結することでボトムユニット２を設置板金５に固定する。
【００２３】
図５はアッパーケース取り付け作業の説明図である。
【００２４】
ねじ２１をアッパーケース３にもうけられた穴２２に挿入し、ボトムケース７にもうけられたねじ穴２３に対して締結することで、アッパーケース３をボトムユニット２に固定する。
【００２５】
図６は落下防止ワイヤ収納の説明図であり、図２（a）における直線Ｂ−Ｂでの、撮像装置１の断面図である。図６（a）はボトムユニット２に対してアッパーケース３の取付を行う前の図である。アッパーケース３がレンズユニット９に接触しないように、アッパーケース３をボトムユニット２から十分離した状態から取付を開始する。このとき、落下防止ワイヤ４はたわみが無く、伸びきった状態である。図６（b）はボトムユニット２に対してアッパーケース３の取付を行っている途中の図である。
【００２６】
（１）撮像装置の構成に関する説明において述べたように、第一壁部１１の壁端部１４および第二壁部１２の壁端部１５は、落下防止ワイヤ４の締結部１３よりもアッパーケース側にある。そのため、落下防止ワイヤ４は第一壁部１１と図６（b）において不図示の第二壁部１２にガイドされながら、たわむ。このとき、第二壁部１２が合わせ面１０より突出しているため、落下防止ワイヤ４の余長が第二壁部１２を超えて合わせ面１０側へはみ出すことはない。
【００２７】
図６（c）はボトムユニット２に対してアッパーケース３の取付を完了した時の図である。このとき、落下防止ワイヤ４の余長は第一壁部１１と、図６（c）において不図示の第二壁部１２の間に収納されている。このように、アッパーケース３をボトムユニット２に取り付ける際に、落下防止ワイヤ４が第一壁部１１と第二壁部１２にガイドされながらたわみ、取付完了時には落下防止ワイヤの余長が第一壁部１１と第二壁部１２の間に収納される。そのため、合わせ面１０においてアッパーケース３とボトムケース７に、落下防止ワイヤ４の余長が挟まれることを防止出来る。
【００２８】
（効果説明）
以上の説明のように、ボトムケースにアッパーケースを取り付ける際に、落下防止ワイヤの余長が、ボトムケース内部に設けられた２つの壁部の間に収納されることで、アッパーケースとボトムケースの間に落下防止ワイヤが挟まれることを防止出来る、といった効果を期待出来る。
【符号の説明】
【００２９】
１  撮像装置、２  ボトムユニット、３  アッパーケース、４  落下防止ワイヤ、
５  設置板金、６  落下防止ワイヤ、７  ボトムケース、８  ベースカバー、
９  レンズユニット、１０  合わせ面、１１  第一壁部、１２  第二壁部、
１３  締結部、１４  壁端部、１５  壁端部、１６  穴、１７  ねじ、１８  ねじ、
１９  穴、２０  ねじ穴、２１  ねじ、２２  穴、２３  ねじ穴
【図１】
2017161676.tif 000003
【図２】
2017161676.tif 000004
【図３】
2017161676.tif 000005
【図４】
2017161676.tif 000006
【図５】
2017161676.tif 000007
【図６】
2017161676.tif 000008